【手続補正書】
【提出日】平成16年3月25日(2004.3.25)
【手続補正１】
【補正対象書類名】明細書
【補正対象項目名】特許請求の範囲
【補正方法】変更
【補正の内容】
【特許請求の範囲】
【請求項１】
所定の間隔毎にオン電位になる複数の走査線と、
対向電極と画素電極とにより液晶を挟持してなる液晶容量と、
前記走査線がオン電位である場合に、前記対向電極の電位に対して階調表示に応じ、かつ、前記液晶容量への書込極性に対応した電位になる複数のデータ線と、
前記データ線と前記画素電極との間に介挿されて、前記走査線がオン電位であればオンする一方、オフ電位であればオフする第１のスイッチング素子と、
一端が前記画素電極に接続される一方、他端の電位が、
前記走査線がオン電位であった期間における前記データ線の電位が正極性書込に対応するものであったならば、前記走査線がオフ電位に遷移した後に、高位側にシフトし、
前記走査線がオン電位であった期間における前記データ線の電位が負極性書込に対応するものであったならば、前記走査線がオフ電位に遷移した後に、低位側にシフトする蓄積容量とを具備することを特徴とする液晶表示装置。
【請求項２】
前記液晶容量に対する前記蓄積容量の容量比率は、４以上であることを特徴とする請求項１に液晶表示装置。
【請求項３】
前記蓄積容量の他端は、容量線を介して行毎に共通接続されることを特徴とする請求項１に液晶表示装置。
【請求項４】
前記蓄積容量を行毎に共通接続した前記容量線を複数に分割して、隣接する分割した容量線の夫々の、前記走査線がオフ電位に遷移した後の電位のシフトを互いに異なる方向とすることを特徴とする請求項３に液晶表示装置。
【請求項５】
所定の第１電位に維持される低位容量線と、
前記第１電位よりも高い第２電位に維持される高位容量線と、
前記低位容量線または前記高位容量線のいずれかを、選択信号線の電位に応じて択一的に選択して、前記蓄積容量の他端に印加するセレクタとを備えることを特徴とする請求項１に記載の液晶表示装置。
【請求項６】
前記セレクタは、
前記低位容量線または前記高位容量線のいずれか一方と前記蓄積容量の他端との間に介挿されて、前記選択信号線の電位が高位側電位であればオンする第２のスイッチング素子と、
前記低位容量線または前記高位容量線のいずれか他方と前記蓄積容量の他端との間に介挿されて、前記選択信号線の電位が低位側の電位であればオンする第３のスイッチング素子とからなることを特徴とする請求項５に記載の液晶表示装置。
【請求項７】
前記セレクタは、前記走査線の延在する方向に相隣接するもの同士で前記低電位容量線と前記高電位容量線のいずれかの互いに異なる線を選択することを特徴とする請求項５に記載の液晶表示装置。
【請求項８】
前記セレクタは、前記走査線の延在する方向に相隣接するもの同士で前記低電位容量線と前記高電位容量線のいずれかの互いに異なる線を選択するとともに、前記データ線の延在する方向に相隣接するもの同士でも前記低電位容量線と前記高電位容量線のいずれかの互いに異なる線を選択することを特徴とする請求項５に記載の液晶表示装置。
【請求項９】
請求項１乃至８のいずれかに記載の液晶表示装置を備えることを特徴とする電子機器。
【請求項１０】
走査線とデータ線との交差に対応して設けられる画素電極と、
対向電極と前記画素電極とにより液晶を挟持してなる液晶容量と、
前記データ線と前記画素電極との間に介挿されて、前記走査線がオン電位であればオンする一方、オフ電位であればオフする第１のスイッチング素子と、
一端が前記画素電極に接続された蓄積容量と
を備える液晶表示装置を駆動するに際し、
前記走査線を所定の間隔毎にオン電位にする走査線駆動回路と、
前記走査線駆動回路によって、前記走査線がオン電位にする期間に、前記データ線の電位を、前記対向電極の電位に対して階調表示に応じ、かつ、前記液晶容量への書込極性に対応した電位にするデータ線駆動回路と、
前記走査線をオン電位でする期間における前記データ線の電位が正極性書込に対応させるならば、前記走査線がオフ電位に遷移した後に、前記蓄積容量における他端の電位を高位側にシフトさせる一方、
前記走査線をオン電位にする期間における前記データ線の電位が負極性書込に対応させるならば、前記走査線がオフ電位に遷移した後に、前記蓄積容量における他端の電位を低位側にシフトさせる蓄積容量駆動回路とを具備することを特徴とする液晶表示装置の駆動回路。
【請求項１１】
走査線とデータ線との交差に対応して設けられる画素電極と、
対向電極と前記画素電極とにより液晶を挟持してなる液晶容量と、
前記データ線と前記画素電極との間に介挿されて、前記走査線がオン電位であればオンする一方、オフ電位であればオフする第１のスイッチング素子と、
一端が前記画素電極に接続された蓄積容量とを備える液晶表示装置を駆動するに際し、
前記走査線を所定の間隔毎にオン電位にし、
前記走査線をオン電位にする期間における前記データ線の電位を、前記対向電極の電位に対して階調表示に応じ、かつ、前記液晶容量への書込極性に対応した電位にし、
前記走査線をオン電位にする期間における前記データ線の電位を、正極書込に対応させるならば、前記走査線をオフ電位に遷移させた後に、前記蓄積容量における他端の電位を高位側にシフトさせる一方、
前記走査線をオン電位にする期間における前記データ線の電位を負極性書込に対応させるならば、前記走査線をオフ電位に遷移させた後に、前記蓄積容量における他端の電位を低位側にシフトさせることを特徴とする液晶表示装置の駆動方法。
【手続補正２】
【補正対象書類名】明細書
【補正対象項目名】０００７
【補正方法】変更
【補正の内容】
【０００７】
【課題を解決するための手段】
上記目的を達成するために、本件第１発明に係る液晶表示装置にあっては、所定の間隔毎にオン電位になる複数の走査線と、対向電極と画素電極とにより液晶を挟持してなる液晶容量と、前記走査線がオン電位である場合に、前記対向電極の電位に対して階調表示に応じ、かつ、前記液晶容量への書込極性に対応した電位になる複数のデータ線と、前記データ線と前記画素電極との間に介挿されて、前記走査線がオン電位であればオンする一方、オフ電位であればオフする第１のスイッチング素子と、一端が前記画素電極に接続される一方、他端の電位が、前記走査線がオン電位であった期間における前記データ線の電位が正極性書込に対応するものであったならば、前記走査線がオフ電位に遷移した後に、高位側にシフトし、前記走査線がオン電位であった期間における前記データ線の電位が負極性書込に対応するものであったならば、前記走査線がオフ電位に遷移した後に、低位側にシフトする蓄積容量とを具備する構成を特徴としている。


【手続補正３】
【補正対象書類名】明細書
【補正対象項目名】００１０
【補正方法】変更
【補正の内容】
【００１０】
また、第１発明において、前記蓄積容量の他端は、容量線を介して行毎に共通接続される構成が好ましい。ただし、この構成では、液晶容量を、走査線毎の反転（行反転）、または、垂直走査期間毎の反転（フレーム反転）しかできないので、容量線を分割して、隣接する分割した容量線の夫々の、前記走査線がオフ電位に遷移した後の電位のシフトを互いに異なる方向とする構成が好ましい。この構成によれば、容量線の分割部分を境に、液晶容量の書込極性が反転した状態になるので、対向電極への突入電流は、走査線毎の反転等と比較して減少するので、より低消費電力化が可能になる。


【手続補正４】
【補正対象書類名】明細書
【補正対象項目名】００１２
【補正方法】変更
【補正の内容】
【００１２】
この構成において、セレクタとしては、前記低位容量線または前記高位容量線のいずれか一方と前記蓄積容量の他端との間に介挿されて、前記選択信号線の電位が高位側電位であればオンする第２のスイッチング素子と、前記低位容量線または前記高位容量線のいずれか他方と前記蓄積容量の他端との間に介挿されて、前記選択信号線の電位が低位側の電位であればオンする第３のスイッチング素子とからなる態様が考えられる。この態様によれば、第１、第２および第３のスイッチング素子を、共通プロセスで形成することができるので、低消費電力化のほか、小型化や集積化等を図る場合に有利になる。


【手続補正５】
【補正対象書類名】明細書
【補正対象項目名】００１３
【補正方法】変更
【補正の内容】
【００１３】
また、セレクタを備える構成においては、前記セレクタは、前記走査線の延在する方向に相隣接するもの同士で前記低電位容量線と前記高電位容量線のいずれかの互いに異なる線を選択することが望ましい。この構成により、液晶容量を、データ線毎に反転（列反転）することができるので、高画質化を図ることが可能になる。


【手続補正６】
【補正対象書類名】明細書
【補正対象項目名】００１４
【補正方法】変更
【補正の内容】
【００１４】
さらに、セレクタを備える構成においては、前記セレクタは、前記走査線の延在する方向に相隣接するもの同士で前記低電位容量線と前記高電位容量線のいずれかの互いに異なる線を選択するとともに、前記データ線の延在する方向に相隣接するもの同士でも前記低電位容量線と前記高電位容量線のいずれかの互いに異なる線を選択する構成が最も望ましい。この構成により、液晶容量を、画素毎に反転することが出来るので、低消費電力化とともに高画質化を図ることが可能になる。


【手続補正７】
【補正対象書類名】明細書
【補正対象項目名】００１６
【補正方法】変更
【補正の内容】
【００１６】
なお、上記第１発明は、液晶表示装置の駆動回路としても実現することが出来る。すなわち、本件第２発明に係る液晶表示装置の駆動回路にあっては、走査線とデータ線との交差に対応して設けられる画素電極と、対向電極と前記画素電極とにより液晶を挟持してなる液晶容量と、前記データ線と前記画素電極との間に介挿されて、前記走査線がオン電位であればオンする一方、オフ電位であればオフする第１のスイッチング素子と、一端が前記画素電極に接続された蓄積容量とを備える液晶表示装置を駆動するに際し、前記走査線を所定の間隔毎にオン電位にする走査線駆動回路と、前記走査線駆動回路によって、前記走査線がオン電位にする期間に、前記データ線の電位を、前記対向電極の電位に対して階調表示に応じ、かつ、前記液晶容量への書込極性に対応した電位にするデータ線駆動回路と、前記走査線をオン電位でする期間における前記データ線の電位が正極性書込に対応させるならば、前記走査線がオフ電位に遷移した後に、前記蓄積容量における他端の電位を高位側にシフトさせる一方、前記走査線をオン電位にする期間における前記データ線の電位が負極性書込に対応させるならば、前記走査線がオフ電位に遷移した後に、前記蓄積容量における他端の電位を低位側にシフトさせる蓄積容量駆動回路とを具備する構成を特徴としている。この構成によれば、上記第１発明と同様に、最終的に画素電極に印加される電圧振幅に比べて、データ線に印加する電圧信号の電圧振幅を小さく抑えることができるので、低消費電力化を図ることが可能になる。


【手続補正８】
【補正対象書類名】明細書
【補正対象項目名】００１７
【補正方法】変更
【補正の内容】
【００１７】
さらに、上記第１発明は、液晶表装置の駆動方法としても実現することができる。すなわち、本件第３発明に係る液晶表示装置の駆動方法にあっては、走査線とデータ線との交差に対応して設けられる画素電極と、対向電極と前記画素電極とにより液晶を挟持してなる液晶容量と、前記データ線と前記画素電極との間に介挿されて、前記走査線がオン電位であればオンする一方、オフ電位であればオフする第１のスイッチング素子と、一端が前記画素電極に接続された蓄積容量とを備える液晶表示装置を駆動するに際し、前記走査線を所定の間隔毎にオン電位にし、前記走査線をオン電位にする期間における前記データ線の電位を、前記対向電極の電位に対して階調表示に応じ、かつ、前記液晶容量への書込極性に対応した電位にし、前記走査線をオン電位にする期間における前記データ線の電位を、正極書込に対応させるならば、前記走査線をオフ電位に遷移させた後に、前記蓄積容量における他端の電位を高位側にシフトさせる一方、前記走査線をオン電位にする期間における前記データ線の電位を負極性書込に対応させるならば、前記走査線をオフ電位に遷移させた後に、前記蓄積容量における他端の電位を低位側にシフトさせる方法を特徴としている。この方法によれば、上記第１および第２発明と同様に、最終的に画素電極に印加される電圧振幅に比べて、データ線に印加する電圧信号の電圧振幅を小さく抑えることができるので、低消費電力化を図ることが可能になる。